(57)【要約】【課題】装置の異常を監視する際に用いる適切な基準値を定めることを可能にする。【解決手段】異常監視装置１０は、情報取得部１１と監視部１２とを備える。情報取得部１１は、日射強度に応じた電力値を太陽電池２１から取得する。監視部１２は、計算部１２１とフィルタ部１２２と記憶部１２３とを備える。計算部１２１は、電力値を用いて所定の抽出時間ごとの平均変化率を算出する。フィルタ部１２２は、晴天日に相当する１日分の平均変化率を標準変化率とし、情報取得部１１が取得した電力値のうち同時刻の標準変化率との差が所定の許容範囲内である平均変化率が得られた日時における電力値の値を抽出する。記憶部１２３は、フィルタ部１２２が抽出した日時における電力値の値を、該当する時刻についての基準値として記憶する。【選択図】図１
2016208606.tif 000002
【特許請求の範囲】
【請求項１】
日射強度に応じた電気出力を装置から取得する情報取得部と、
前記情報取得部が１日の時刻ごとに取得した前記電気出力の値と１日の時刻ごとに定めた基準値とを比較することにより前記装置の異常の有無を監視する監視部とを備え、
前記装置は、太陽電池と日射計との少なくとも一方を含み、
前記監視部は、
前記電気出力を用いて所定の抽出時間ごとの平均変化率を算出する計算部と、
晴天日に相当する１日分の平均変化率を標準変化率とし、前記情報取得部が取得した前記電気出力のうち同時刻の前記標準変化率との差が所定の許容範囲内である平均変化率が得られた日時における電気出力の値を抽出するフィルタ部と、
前記フィルタ部が抽出した前記日時における電気出力の値を、該当する時刻についての前記基準値として記憶する記憶部とを備える
ことを特徴とする異常監視装置。
【請求項２】
前記情報取得部は、所定のサンプリング周期で前記電気出力を取得し、
前記抽出時間は、前記サンプリング周期の整数倍であって、前記サンプリング周期での前記電気出力の変動成分が抑圧され、かつ前記電気出力の変化傾向の抽出が可能になるように定められ、
前記記憶部は、前記基準値を前記サンプリング周期ごとの時刻に割り当てて記憶する
ことを特徴とする請求項１記載の異常監視装置。
【請求項３】
前記記憶部は、複数日分の前記電気出力から前記フィルタ部が抽出した前記電気出力を１日における時刻に割り当てて記憶している
ことを特徴とする請求項２記載の異常監視装置。
【請求項４】
前記監視部は、
異なる日の同時刻について前記フィルタ部が複数の電気出力を抽出した場合に、前記同時刻について抽出された前記複数の電気出力のうちの最大値を前記基準値として前記記憶部に記憶させる選択部を備える
ことを特徴とする請求項３記載の異常監視装置。
【請求項５】
前記フィルタ部は、
すでに抽出した前記平均変化率を前記標準変化率と再度比較し、すでに抽出した前記平均変化率のうち前記標準変化率との差が所定の許容範囲内である変化率を抽出する反復処理を１回以上繰り返すように構成されている
ことを特徴とする請求項１〜４のいずれか１項に記載の異常監視装置。
【請求項６】
前記フィルタ部は、前記反復処理を１回行うたびに前記許容範囲を狭める
ことを特徴とする請求項５記載の異常監視装置。
【請求項７】
前記標準変化率は、複数日を含むように設定された区分期間ごとに設定されていることを特徴とする請求項１〜６のいずれか１項に記載の異常監視装置。
【請求項８】
コンピュータを、請求項１〜７のいずれか１項に記載の異常監視装置として機能させることを特徴とするプログラム。
【発明の詳細な説明】
【技術分野】
【０００１】
本発明は、装置の電気出力を用いて装置の異常を監視する異常監視装置、コンピュータをこの異常監視装置として機能させるためのプログラムに関する。
【背景技術】
【０００２】
従来、太陽電池の電気出力を用いて太陽電池の出力が正常か異常かを判定する技術が知られている（たとえば、特許文献１参照）。特許文献１では、所定の日照時刻における標準出力電力値に対して、太陽電池の実際の出力電力値の比を算出し、この比を用いて太陽電池の出力が正常か異常かを判定している。特許文献１には、複数の太陽電池アレイについて所定の日照時刻における電力値、あるいは複数日にわたって日照時刻毎に繰り返し実測した太陽電池アレイの出力電力値の最大値を、標準出力電力値として用いることが記載されている。
【先行技術文献】
【特許文献】
【０００３】
【特許文献１】特開２００５−３４０４６４号公報
【発明の概要】
【発明が解決しようとする課題】
【０００４】
特許文献１に記載された発明は、太陽光発電設備の導入時に太陽電池アレイが適切に設置されているか否かを診断し、また太陽電池アレイの経時変化による発電能力の劣化や故障について診断するために、太陽電池の標準出力電力値を用いている。
【０００５】
しかしながら、太陽電池アレイの出力電力値は、季節による太陽高度の影響で変化するから、特許文献１に記載された標準出力電力値は、年間を通して使用することができない可能性がある。また、出力電力値の最大値を標準出力電力値とする場合、標準出力電力値は、日射の回り込み、あるいは雲の影などの影響を受けるから、太陽電池アレイの劣化や故障を診断するための基準になる標準出力電力値を定めることは困難である。
【０００６】
本発明は、装置の異常を監視する際に用いる適切な基準値を定めることを可能にした異常監視装置を提供することを目的とする。また、本発明は、コンピュータをこの異常監視装置として機能させるプログラムを提供することを目的とする。
【課題を解決するための手段】
【０００７】
本発明に係る異常監視装置は、日射強度に応じた電気出力を装置から取得する情報取得部と、前記情報取得部が１日の時刻ごとに取得した前記電気出力の値と１日の時刻ごとに定めた基準値とを比較することにより前記装置の異常の有無を監視する監視部とを備え、前記装置は、太陽電池と日射計との少なくとも一方を含み、前記監視部は、前記電気出力を用いて所定の抽出時間ごとの平均変化率を算出する計算部と、晴天日に相当する１日分の平均変化率を標準変化率とし、前記情報取得部が取得した前記電気出力のうち同時刻の前記標準変化率との差が所定の許容範囲内である平均変化率が得られた日時における電気出力の値を抽出するフィルタ部と、前記フィルタ部が抽出した前記日時における電気出力の値を、該当する時刻についての前記基準値として記憶する記憶部とを備えることを特徴とする。
【０００８】
本発明に係る太陽光発電設備は、太陽電池と、前記太陽電池に隣接して配置された日射計と、上述した異常監視装置とを備えることを特徴とする。
【０００９】
本発明に係るプログラムは、コンピュータを、上記した異常監視装置として機能させることを特徴とする。
【発明の効果】
【００１０】
本発明の構成によれば、装置の異常を監視する際に用いる適切な基準値を定めることが可能になるという利点がある。
【図面の簡単な説明】
【００１１】
【図１】実施形態を示すブロック図である。
【図２】実施形態において抽出時間を変更した場合の動作説明図である。
【図３】実施形態における出力パターンの例を示す図である。
【図４】実施形態において標準変化率に許容範囲を設定した例を示す図である。
【図５】図５Ａは実施形態において理想的な出力パターンを示す図、図５Ｂは実施形態において理想的な出力パターンに対する変化率パターンを示す図、図５Ｃは実施形態において実測値の出力パターンを示す図、図５Ｄは実施形態において実測値の出力パターンに対する変化率パターンを示す図、図５Ｅは実施形態において実測値から求めた基準値パターンを示す図である。
【図６】図６Ａ、図６Ｂ、図６Ｃは、それぞれ異なる日の電力値から基準値パターンを生成した例を示す図であり、図６Ｄは、異なる日の電力値から求めた基準値パターンを重ね合わせた状態の例を示す図である。
【図７】図７Ａは実施形態において電力値から基準値を抽出する際の許容範囲の設定例を示し、図７Ｂは実施形態において基準値に対する反復処理の際の許容範囲の設定例を示す図である。
【発明を実施するための形態】
【００１２】
以下に説明する異常監視装置は、中規模から大規模の太陽光発電設備を対象にして異常を監視するように構成されている。太陽光発電設備の発電規模は、とくに制限はないが、以下に説明する異常監視装置を適用する太陽光発電設備は、数百枚以上の太陽電池パネルが並ぶ程度の発電規模を想定している。たとえば、発電規模が２５０ｋＷ程度であれば、１０００枚以上の太陽電池パネルが並び、また、発電規模が１ＭＷ程度であれば太陽電池パネルの設置面積は１ｈａ程度になる。ただし、以下に説明する技術は、家庭用などの数ｋＷ程度の小規模の太陽光発電設備に適用することも可能である。
【００１３】
太陽光発電設備は、発電規模にかかわらず、太陽電池と、太陽電池が出力した直流電力を交流電力に変換するための電力変換装置とを備える。電力変換装置は、いわゆるパワーコンディショナである。また、以下に説明する太陽光発電設備は、太陽電池に隣接して配置された日射計と、電力変換装置で生成された交流電力を電力系統に供給する機能を有した受変電設備とを備える。日射計は、たとえば太陽電池の傾斜角度を同じ角度で配置される。
【００１４】
異常監視装置は、太陽電池と日射計との少なくとも一方の装置の電気出力を用いて、装置の劣化あるいは故障のような異常の有無を監視する。異常監視装置は、装置の電気出力に基づいて装置が異常か否かを判断するために、晴天とみなせる環境での電気出力の値に相当する基準値を定めており、実測した電気出力の値と基準値との比較により、装置の異常の有無を判断する。装置からの電気出力の値は、日射強度によって変化し、また装置に対する日射の入射角度によって変化する。したがって、天候、季節、１日の時刻などの条件で変化する。また、装置の設置場所の周囲環境、すなわち周囲の地形、周囲の建物、周囲の樹木なども、装置からの電気出力の値を変化させる要因になる。
【００１５】
太陽電池は、複数枚のモジュール（太陽光発電パネル）が直列に接続されてストリングを構成している。ストリングは、複数個ずつ接続箱に接続される。接続箱はストリングモニタを備え、ストリングそれぞれが出力する電流を監視する。太陽電池が出力する直流電力は、接続箱を通して電力変換装置に供給される。太陽光発電設備は、電力変換装置の入力電圧を監視する計測装置を備える。計測装置は、ストリングモニタが監視したストリングごとの電流値を取得する機能も有する。太陽電池が発電した電力は、ストリングモニタが監視した電流値と、計測装置が監視した電圧値とにより求めることが可能である。ストリングモニタは、ストリングそれぞれが出力する電流を監視するだけではなく、ストリングの出力電圧も併せて監視するように構成されていてもよい。
【００１６】
異常監視装置は、太陽電池の劣化あるいは故障のような異常を監視する場合、太陽電池に照射される日射強度を反映する電気出力として、太陽電池が出力する電流値または電力値を用いる。また、異常監視装置は、日射計の劣化あるいは故障のような異常を監視する場合、太陽電池に隣接して配置された日射計の電気出力を用いる。
【００１７】
異常監視装置は、太陽電池の異常を監視する場合、太陽電池の全体を一括して監視することが可能であるが、ストリングを単位と監視すれば、太陽光発電設備を構成する複数枚のモジュールを複数に区分して管理することが可能になる。たとえば、いずれかのストリングにおいて異常が検出された場合に、異常の発生箇所を見つけ出す作業は、該当するストリングを構成しているモジュールの範囲に絞り込んで行えばよく、異常への対応をすばやく行うことが可能になる。
【００１８】
ここに、異常監視装置は、装置の劣化あるいは故障のような異常を判断するために必要なデータを蓄積するように構成されていればよく、装置に異常があるか否かの判断は異常監視装置とは別の装置で行うようにしてもよい。たとえば、装置に異常があるか否かの判断は、インターネットのような通信回線を通して異常監視装置と通信する遠隔診断用のサーバで自動的に行われるように構成すればよい。また、クラウドコンピューティングシステムを用いて異常監視装置からのデータを収集し、太陽光発電設備の管理者が端末装置を用いて太陽電池の異常の判断を行ってもよい。もちろん、装置に異常があるか否かの判断を行う装置が、異常監視装置として兼用されていてもよい。
【００１９】
また、以下では、複数の太陽光発電設備の動作状態を異常監視装置に集約して監視する構成を例として説明するが、複数の太陽光発電設備の動作状態を、太陽光発電設備それぞれに関連付けた端末装置に異常監視装置から送信する構成を採用してもよい。すなわち、複数の太陽光発電設備について動作状態の監視を、１箇所で集中的に行う構成と、複数箇所で分散して行う構成とのどちらでも採用することが可能である。要するに、太陽光発電設備で発生する電気出力のデータが電気通信回線を通して異常監視装置で取得可能な環境であれば、異常監視装置の場所によらずに、太陽光発電設備における異常の有無を監視することが可能である。
【００２０】
異常監視装置は、太陽光発電設備を用いて発電事業を行う事業者、発電事業者から委託を受けたＥＰＣ（Engineering, Procurement and Construction）業者、あるいは太陽光発電設備のメンテナンス事業者などが用いる。１台の異常監視装置が監視する太陽光発電設備のサイト数は、たとえば１００〜５００サイトを想定している。ただし、異常監視装置の台数を増加させるか、異常監視装置の処理能力を高めることにより、監視可能な太陽光発電設備のサイト数は、必要に応じて増加させることが可能である。
【００２１】
ところで、晴天日における装置からの電気出力の値を時間軸に沿って並べた図形は、細部の変化を無視して大局的に見れば、年間を通してほぼ相似形であるという知見が得られている。以下では、装置からの電気出力の値を時間軸に沿って並べた図形を「出力パターン」という。さらに、太陽光発電設備の設置場所、設置条件を前提とし、異なる日の出力パターンであっても、晴天日であれば朝方と夕方との時間帯を除くと、ほぼ重なり合うという知見が得られている。たとえば、太陽光発電設備の設置場所が決まり、太陽電池モジュールが真南向き、傾斜角度３０度という設置条件を前提とすれば、晴天日の出力パターンはほぼ重なり合う。
【００２２】
これらの知見によれば、装置の異常の有無を判断するための基準値は、晴天日に相当する１日のうちの所定の時間帯について定めるだけで、年間を通して用いることができることになる。もちろん、季節に応じた太陽高度の違いによって装置からの電気出力の値は変化する。しかしながら、晴天日の出力パターンの形状については季節による変化が比較的小さいから、季節に応じた補正値を基準値に加算あるいは減算すれば、年間を通して同じ基準値を用いることが可能である。
【００２３】
基準値は、装置の種類ごとに定められ、ここでは装置として太陽電池と日射計とを想定しているから、太陽電池に対する基準値と日射計に対する基準値とを設定することが必要である。太陽電池は、最小単位ではストリングを単位として異常の有無を監視しているから、ストリングを単位とした電気出力の値と比較するように基準値が定められる。また、アレイに関する電気出力の値と比較する基準値、パワーコンディショナに関する電気出力の値と比較する基準値、太陽光発電設備に関する電気出力の値と比較する基準値などが、必要に応じて定められる。基準値は、上述した例に限らず、太陽光発電設備の適宜の箇所に対して定めることが可能である。
【００２４】
以下では、装置が太陽電池であって、ストリングからの電気出力の値と比較する基準値が定められる場合を例にして説明する。つまり、装置が太陽電池であって、ストリングからの電気出力の値に対する基準値が設定される場合を例にして説明する。ストリングからの電気出力は所定のサンプリング周期でサンプリングされる。サンプリングされた電気出力の値は時間経過に伴って変化する。そのため、基準値は電気出力がサンプリングされた時刻ごとに設定される。以下では、基準値を時間軸に沿って並べた図形を「基準値パターン」という。
【００２５】
たとえば、以下に説明する構成例ではサンプリング周期は１分間であり、基準値を定める時間帯は１０時から１３時である。この例では、基準値は、１０時、１０時１分、…、１３時というように１分ごとに定められ、合計１８１個の基準値が定められる。また、電気出力の値は、サンプリング周期ごとに定めたサンプリング期間における電気出力の積算値または平均値が用いられる。基準値も同様であり、サンプリング期間における電気出力の積算値または平均値が用いられる。
【００２６】
ところで、太陽電池からの電気出力の値は、理想的には晴天日であれば滑らかに変化すると考えられるが、実際には晴天日であっても、雲の状態あるいは太陽電池の周囲環境などによって大きく変動する。すなわち、晴天日の出力パターンは理想的にはベル型であるが、太陽電池からの電気出力の実測値は、ベル型の出力パターンの上に短時間で変化する成分が重なっているかのような複雑な出力パターンになることが多い。言い換えると、実測値から得られる出力パターンは、単峰型の基本波に、高周波成分が重畳したような形状になることが多い。以下では、出力パターンのうち基本波に相当する成分を「基本パターン」、高周波成分に相当する成分を「重畳パターン」と呼ぶ。晴天日であれば、太陽電池からの電気出力の実測値による出力パターンは、通常は基本パターンと重畳パターンとを足し合わせた形になる。
【００２７】
以下に説明する実施形態では、主に、太陽電池からの電気出力の実測値に基づきながらも、雲の状態あるいは太陽電池の周囲環境などの影響を除去した基準値パターンを生成する技術について説明する。なお、以下では電気出力が電流である場合について説明する。ただし、電気出力は電力であってもよい。
【００２８】
（実施形態）
異常監視装置１０は、図１に示すように、太陽光発電設備２０から電気通信回線３１を通してデータを受け取るように構成されている。電気通信回線３１は、インターネットを用いたＶＰＮ（Virtual Private Network）、移動体通信網、または専用回線などから選択される。また、異常監視装置１０は、太陽光発電設備２０の運転管理あるいは保守点検管理を行う事業者が管理する端末装置３２と通信するコンピュータサーバとして機能する。すなわち、異常監視装置１０は、端末装置３２と併せて異常監視システムを構築する。図１において、実線は電力の経路を表し、破線は信号の経路を表す。
【００２９】
図１に示す太陽光発電設備２０は、太陽電池２１のほかに、太陽電池２１が出力した直流電力を交流電力に変換する電力変換装置２４と、太陽電池２１に隣接して配置された日射計２５とを備える。本実施形態では用いないが、太陽光発電設備２０は、日射計２５に加えて温度計が配置されていてもよい。また、太陽光発電設備２０は、電力変換装置２４で生成された交流電力を電力系統２７に供給する受変電設備２６を備える。太陽電池２１は、複数のストリング２１１で構成されており、ストリング２１１それぞれの電気出力がストリングモニタ２２１で監視される。
【００３０】
ストリングモニタ２２１は、ストリング２１１が電気的に接続される接続箱２２に収納されている。太陽光発電設備２０は、複数個の接続箱２２を備え、接続箱２２それぞれに複数個ずつのストリング２１１が接続される。したがって、１個の接続箱２２には、接続されるストリング２１１の個数に応じた個数のストリングモニタ２２１が収納される。なお、ストリングモニタ２２１は、接続箱２２とは別に設けられていてもよい。接続箱２２は、ストリング２１１から出力された直流電力を集約して電力変換装置２４に供給する。ストリングモニタ２２１は、電流センサを用いて電流を計測する。電流センサは、ホール素子あるいは磁気抵抗素子を磁気コアに取り付けた構成などが用いられる。電流の計測は、シャント抵抗を用いて行ってもよい。
【００３１】
太陽光発電設備２０は、電力変換装置２４への入力電圧を監視する計測装置２３を備えている。計測装置２３は、ストリング２１１それぞれが出力する電流値をストリングモニタ２２１から取得する機能と、日射計２５の電気出力を取得する機能とを有している。なお、日射計２５が電力変換装置２４に接続され、計測装置２３が電力変換装置２４を経由して日射計２５の電気出力を取得してもよい。ストリング２１１が出力した電圧を電流と併せてストリングモニタ２２１が計測できる場合には、電流値と電圧値とを用いることにより計測装置２３が電力値を求めてもよい。
【００３２】
計測装置２３は、上述した電気通信回線３１を通して異常監視装置１０と通信するための通信部２３１を備える。異常監視装置１０は、太陽電池２１の電気出力と日射計２５の電気出力との少なくとも一方を監視することが可能であるが、以下では、太陽電池２１の電気出力を用いて太陽電池２１の異常の有無を監視する場合について説明する。日射計２５の電気出力を用いて日射計２５の異常の有無を監視する技術は、以下の説明において、太陽電池２１の電気出力を日射計の２５の電気出力に読み替えることにより実現可能である。
【００３３】
図１に示す異常監視装置１０は、太陽電池２１を構成するストリング２１１ごとの電気出力を取得する情報取得部１１と、情報取得部１１が取得した電流値を基準値と比較することにより太陽電池２１の異常の有無を監視する監視部１２とを備える。つまり、異常監視装置１０は、上述した計測装置２３から、電気通信回線３１を通してストリング２１１ごとの電流値および電力変換装置２４に入力される電圧値のデータを取得し、ストリング２１１ごとに発電した電力値を求める。この電力値は、ストリング２１１に異常がなければ、ストリング２１１が受けた日射強度との値に所定の関係を持つ。なお、異常監視装置１０が計測装置２３から電流値および電圧値のデータを受け取るのではなく、異常監視装置１０が計測装置２３から電力値のデータを受け取るように構成されていてもよい。つまり、計測装置２３が電流値と電力値とから電力値を計算する構成であってもよい。
【００３４】
異常監視装置１０において太陽電池２１の異常の有無を監視するには、同じ時刻において太陽電池２１が出力した電力値と基準値とを比較し、基準値に対して電力値が所定の正常範囲内か否かを判断する。監視部１２は、電力値が基準値に対して所定の正常範囲を逸脱している場合でも、ただちに異常と判断するのではなく、たとえば１日分の基準値に対して、電力値が正常範囲を逸脱している割合が８０％以上である場合に、異常と判断することが望ましい。なお、異常と判断する割合の数値は、一例であって適宜に定めることが可能である。
【００３５】
情報取得部１１は、太陽電池２１を構成するストリング２１１それぞれについて、一定のサンプリング周期ごとの電気出力を取得する。サンプリング周期は、３０秒から１０分程度の範囲から選択することが可能であるが、たとえば１分に定めることが望ましい。情報取得部１１は、サンプリング周期ごとに定めたサンプリング期間における電気出力の積算値を監視部１２に出力する。異常監視装置１０は、日時を計時し、またサンプリング周期を定めるために、リアルタイムクロックのような内蔵時計１３を備える。
【００３６】
監視部１２では、太陽光発電設備２０に異常があるか否かを監視し、異常を検出した場合には、出力部１４を通して端末装置３２にプッシュ方式で通知する。端末装置３２は、サーバである異常監視装置１０に対してクライアントであって、一般的には、異常監視装置１０と通信するパーソナルコンピュータが用いられる。異常監視装置１０と端末装置３２との通信には、インターネットを用いたＶＰＮ（Virtual Private Network）、移動体通信網、専用回線などから選択される通信路を用いる。端末装置３２は、パーソナルコンピュータのほか、タブレット端末、スマートフォンなどから選択することが可能であり、また、シンクライアント（thin client）であってもよい。
【００３７】
なお、異常監視装置１０が把握している太陽光発電設備２０の動作状態は、太陽光発電設備２０で発電した電力を受電する需要者が使用する端末装置３２に転送することが可能であり、需要者への情報提供のツールとして用いることも可能である。
【００３８】
サンプリング周期およびサンプリング期間は、情報取得部１１が定める代わりに計測装置２３が定めてもよい。つまり、情報取得部１１は、サンプリング周期ごとにサンプリング期間における電気出力の積算値を計測装置２３から受け取る構成であってもよい。情報取得部１１は、電気出力のサンプリング期間における積算値に代えて、電気出力のサンプリング期間における平均値を監視部１２に出力してもよい。
【００３９】
監視部１２は、情報取得部１１から引き渡された電力値（つまり、出力パターン）から基本パターンに相当する電力値を抽出し、抽出した電力値を基準値と比較するように構成されている。情報取得部１１が取得した電力値から基本パターンに相当する電力値を抽出するために、本実施形態では、サンプリング周期より長い抽出時間を定め、抽出時間における電力値の平均変化率を用いている。抽出時間は、出力パターンにおける短時間の変動成分が抑圧され、かつ電力値の変化傾向の抽出が可能になるように定められる。具体的には、抽出時間は、サンプリング周期の２０倍から４０倍程度の範囲であり、より望ましくはサンプリング周期の３０倍前後である。
【００４０】
本実施形態の平均変化率は、抽出時間の始点のサンプリング期間に取得した電力値と、終点のサンプリング期間に取得した電力値との差分を、抽出時間で除した値である。平均変化率は、サンプリング周期ごとに求められる。たとえば、抽出時間をサンプリング周期の３０倍、ｎ番目のサンプリング期間の電力値をＰ（ｎ）、３０分後の電力値をＰ（ｎ＋３０）とすると、平均変化率は｛Ｐ（ｎ＋３０）−Ｐ（ｎ）｝／３０と計算される。また、ｎ番目のサンプリング期間に対応した時刻を、１１時００分とすると、１１時００分の平均変化率が、｛Ｐ（ｎ＋３０）−Ｐ（ｎ）｝／３０になる。同様にして、１１時０１分の平均変化率は、｛Ｐ（ｎ＋３１）−Ｐ（ｎ＋１）｝／３０と計算される。
【００４１】
上述した平均変化率の計算式は一例であって、他の計算式を用いてもよい。たとえば、特定の時刻の平均変化率を、前後１５分の値を用いることにより、次式のように定義してもよい。すなわち、｛Ｐ（ｎ＋１５）−Ｐ（ｎ−１５）｝／３１として求めてもよい。
【００４２】
上述の計算により求められる平均変化率は、対応した時刻における電力値の傾きを表している。ここで、適切な抽出時間で求めた平均変化率は、重畳パターンを除去した基本パターンの平均変化率にほぼ等しくなることがわかっている。また、平均変化率は電力値の傾きを表しているから、時間経過に伴う平均変化率の変化は、出力パターンの形状を表すが、電力値の大きさには依存しない。以下では、平均変化率を時間軸に沿って並べた図形を「変化率パターン」という。
【００４３】
ここで、抽出時間について簡単に考察する。抽出時間がサンプリング周期に一致している場合、つまり抽出時間が１分である場合、図２Ａのように、変化率パターンから重畳パターンに相当する成分を除去することはできない。また、抽出時間が７分である場合、図２Ｂのように、変化率パターンから重畳パターンに相当する成分の一部が除去されるが、依然として変化率パターンに重畳パターンに相当する成分が比較的多く残されている。一方、抽出時間が３１分である場合、図２Ｃのように、変化率パターンから重畳パターンに相当する成分がほぼ除去され、おおむね基本パターンに相当する成分が抽出される。したがって、抽出時間を比較的長く設定することによって、変化率パターンを用いて基本パターンの抽出が可能になる。
【００４４】
ここに、平均変化率を用いずに、複数日（たとえば、１５日間）の電力値から１日の時刻毎の最大値を抽出すると、図３に破線で示すように、時刻毎の電力値（図３では電力値に等価な値として日射強度の値を用いている）の変化が大きくなる。これは、晴天日であっても、雲の状態あるいは太陽電池の周囲環境などによって太陽電池２１に照射される日射強度が大きく変動するからと考えられる。つまり、図３に破線で示すように、複数日の出力パターンから抽出した時刻毎の最大値を並べた図形は、基本パターンに重畳パターンを重ねたような形状になる。これに対して、以下に説明する本実施形態の技術を採用すると、図３に実線で示すように重畳パターンに相当する成分を除去して基本パターンに相当する成分を抽出することが可能になる。
【００４５】
監視部１２は、基準値パターンを生成する動作と、生成した基準値パターンを用いて太陽電池２１の異常の有無を監視する動作とを切り替えるように構成されている。さらに、基準値を生成する動作は、理想的な晴天日の変化率パターンを生成する動作と、太陽電池２１の電気出力から基準値パターンを生成する動作とを含んでいる。ここでは、理想的な晴天日について変化率パターンを生成する動作を「前置動作」といい、太陽電池２１の電気出力から基準値パターンを生成する動作を「生成動作」という。
【００４６】
監視部１２は、判断部１２０と計算部１２１とフィルタ部１２２と記憶部１２３とを備える。記憶部１２３は、出力パターンのデータを記憶する第１領域１２３１と、前置動作で得られた変化率パターンのデータを記憶する第２領域１２３２と、生成動作で得られた基準値パターンのデータを記憶する第３領域１２３３とを備える。
【００４７】
判断部１２０は、記憶部１２３に格納された基準値パターンのデータと、情報取得部１１が取得した電力値のデータとを比較し、上述のような判断を行うことによって、太陽電池２１に異常があるか否かを判断する。
【００４８】
計算部１２１は、前置動作と生成動作との両方において、第１領域１２３１が記憶している出力パターンのデータを用いて平均変化率を求める。すなわち、第１領域１２３１には、太陽電池２１からの電力値のデータが１日の時刻に一対一に対応付けられて格納されており、計算部１２１は、２個ずつの電力値のデータを用いて平均変化率を計算する。
【００４９】
前置動作では、ユーザが快晴と判断した日の出力パターンを理想的な晴天日の出力パターンとみなす。計算部１２１は、この出力パターンのデータ（つまり、各時刻の電力値）を用いて１日の各時刻の平均変化率を求め、求めた時刻毎の平均変化率を時刻毎の標準変化率として記憶部１２３の第２領域１２３２に格納させる。つまり、前置動作では、１日の各時刻に標準変化率を対応付けた変化率パターンが生成される。
【００５０】
生成動作では、計算部１２１は、適宜の日の出力パターンのデータから各時刻の平均変化率を求める。フィルタ部１２２は、求めた時刻毎の平均変化率を、記憶部１２３に格納されている同じ時刻の標準変化率と比較する。具体的には、フィルタ部１２２は、図４に示すように、記憶部１２３が格納している各時刻の標準変化率ＲＣに所定の許容範囲ＡＲを設定し、計算部１２１が求めた同時刻の平均変化率が許容範囲ＡＲ内であれば、当該平均変化率が求められた日時における電力値を基準値とみなす。フィルタ部１２２が基準値とみなした電力値のデータは、記憶部１２３の第３領域１２３３に格納される。許容範囲ＡＲは、標準変化率ＲＣに対する割合、または一定値に定められる。許容範囲ＡＲを標準変化率ＲＣに対する割合で設定する場合、たとえば、±０．１ＲＣ〜±０．３ＲＣ程度から選択すればよい。
【００５１】
一例として、記憶部１２３の第２領域１２３２に格納された１１時００分の標準変化率が０．００１であり、フィルタ部１２２に設定された許容範囲が±０．０００２である場合を仮定する。フィルタ部１２２は、計算部１２１が求めた１１時００分の平均変化率が０．００１１であれば、この平均変化率を求めた日時の電力値を、基準値とみなして、該当する日時の電力値のデータを時刻に対応付けて記憶部１２３の第３領域１２３３に格納する。一方、計算部１２１が求めた１１時００分の平均変化率が０．００３であれば、フィルタ部１２２は、この平均変化率を求めた日時の電力値を破棄する。
【００５２】
ところで、日中に晴天である期間が比較的長い１日であれば、記憶部１２３の第３領域１２３３には、電力値のデータが比較的多く格納される。しかし、日中に晴天である期間が短い１日、日中に曇天である１日、日中に雨天である１日では、記憶部１２３の第３領域１２３３に格納される電力値のデータは少数になる。基準値パターンを構成する電力値のデータを用いて太陽電池２１の異常の有無を判断しようとする場合、一般的には、データ量が多いほうが判断の確実性が高まると言える。
【００５３】
ただし、１日分の電力値のデータであっても、南中時刻の前後の時間帯（たとえば、１０時から１３時）において、晴天である期間のデータが所定値以上の割合を占めている場合には、１日分の電力値のデータを基準値パターンとして用いることが可能である。所定値以上の割合とは、たとえば８０％以上などである。なお、この数値は限定する趣旨ではなく、一例として示している。
【００５４】
上述した手順で基準値パターンを抽出する例を図５に示す。図５Ａは理想的な出力パターンを示しており、計算部１２１の計算によって変化率パターンを抽出すると、図５Ｂのようになる。一方、図５Ｃは実測値の出力パターンを示しており、計算部１２１の計算によって変化率パターンを抽出すると、図５Ｄのようになる。フィルタ部１２２では、図５Ｄに示す変化率パターンを図５Ｂに示す変化率パターンと照合することによって、図５Ｅのような基準値パターンを抽出する。すなわち、フィルタ部１２２は、図５Ｂに示す変化率パターンと図５Ｄに示す変化率パターンとから、平均変化率が一致する時刻を求め、求めた時刻を図５Ｃの出力パターンに照らし合わせることによって、当該時刻の電力値を抽出する。なお、図５Ａ、図５Ｃ、図５Ｅにおいて、縦軸は日射強度を用いているが、太陽電池２１が出力する電力値と等価である。
【００５５】
基準値パターンを構成するデータ量を増やすには、フィルタ部１２２が抽出した複数日分の電力値のデータを用いることが可能である。同じ季節とみなせる複数日分の電力値であれば、時刻に応じた太陽高度はほぼ等しいから、晴天時の日射強度もほぼ等しい。このことを利用して、本実施形態では、同時刻の太陽高度の変化が所定範囲である期間内の複数日を含むように設定した区分期間について、フィルタ部１２２が抽出した電力値のデータを記憶部１２３の第３領域１２３３に格納する。この場合、記憶部１２３の第３領域１２３３は、同じ時刻について複数の電力値のデータを格納することを許容する。
【００５６】
ここに、区分期間は、２週間から１ヶ月程度の範囲で選択される。たとえば、同じ季節と見なせる期間は、二十四節季のうちの１つの節季に含まれる複数日（１５日間）とすることが可能である。また、同じ季節とみなせる期間として、毎月の前半の複数日、および毎月の後半の複数日、１ヶ月の複数日などを採用することも可能である。要するに、太陽高度がほぼ等しい期間を同じ季節とみなせる期間として選択する。
【００５７】
いま、３日分の電力値に基づいて、それぞれの日の電力値から、図６Ａ、図６Ｂ、図６Ｃに示すような３種類の基準値パターンが抽出されたとする。この場合、これらの基準値パターンを重ね合わせることにより、図６Ｄのような基準値パターンを生成することが可能になる。図６Ａ、図６Ｂ、図６Ｃにそれぞれ示す基準値パターンは形状が乱れており、１日分の基準値パターンとして使用することができないが、図６Ｄのように複数の基準値パターンを重ね合わせることにより、ほぼ完全な基準値パターンが含まれることになる。
【００５８】
ところで、図６Ｄに示す基準値パターンは、同時刻に複数の値を含んでおり、このままでは基準値パターンとして使用することができない。そのため、監視部１２は、記憶部１２３の第３領域１２３３において同時刻に複数の電力値のデータが存在している場合に、複数の電力値のデータのうちの１つを選択して基準値を定めるように構成された選択部１２４を備える。
【００５９】
選択部１２４は、記憶部１２３に格納された電力値のデータのうちの１つを基準値として選択し、選択した基準値を記憶部１２３の第３領域１２３３に格納するように構成される。基準値としては、同時刻における複数の電力値のデータから、一定の規則に従って適宜の１個の電力値のデータを選択すればよい。基準値を選択するための規則は、複数の電力値のデータのうちの最大値を採用するように定める。
【００６０】
ここに、上述した動作例では、複数日から求めた同時刻の電力値のデータを記憶部１２３に記憶した後に、選択部１２４が基準値として用いる電力値のデータを選択している。これに対し、記憶部１２３の第３領域１２３３に電力値のデータを格納しようとするときに、当該電力値のデータと同時刻の電力値のデータが第３領域１２３３にすでに格納されていれば、一方のみを記憶部１２３に格納するように選択部１２４を構成してもよい。この場合、選択部１２４は、記憶部１２３に格納されている電力値のデータと、記憶部１２３に格納しようとする電力値のデータとの大小を比較し、大きいほうの電力値のデータを記憶部１２３の第３領域１２３３に格納するという規則を用いる。
【００６１】
ところで、フィルタ部１２２は、電力値の平均変化率を用いて基準値となる電力値を抽出するから、１日の出力パターンによっては、基準値の候補として誤認して抽出される可能性がある。つまり、フィルタ部１２２は、電力値の平均変化率が、標準変化率に対して設定した許容範囲内であれば、該当する電力値を、電力値の絶対値とは無関係に基準値の候補として抽出するから、晴天日に相当しない電力値を基準値の候補として抽出することがある。晴天日に相当しない電力値は、たとえば図６Ａであれば、右側部分のように電力値が不連続である部分などである。
【００６２】
このように晴天日に相当しない電力値を「誤差成分」と呼ぶことにする。記憶部１２３の第３領域１２３３に格納された基準値によって形成される基準値パターンは、誤差成分を含んでいる場合には、晴天日に相当する電力値と晴天日ではない電力値とを含んでいることになる。このような基準値パターンから誤差成分を低減させるために、フィルタ部１２２は、情報取得部１１から取得した電力値のデータと同様の処理を、基準値パターンについて行う反復処理が可能になるように構成されている。反復処理は、少なくとも１回行われ、必要に応じて複数回の反復処理を行うことが可能になっている。反復処理の回数は、通常は１回あるいは２回程度でよい。
【００６３】
また、フィルタ部１２２は、反復処理の際には、標準変化率に対して設定する許容範囲を、最初に基準値の候補を抽出する際に用いた許容範囲よりも狭めることが望ましい。たとえば、図７Ａのように情報取得部１１が取得した電力値のデータを用いて基準値の候補を抽出する際に用いる許容範囲ＡＲ１を±αとする。また、図７Ｂのように記憶部１２３の第３領域１２３３に格納した基準値のデータに対して反復処理を行う際に用いる許容範囲ＡＲ２を±β（α＞β＞０）とする。このように、反復処理を行うだけではなく、反復処理の際に許容範囲を狭めることによって、誤差成分がより一層除去され、結果的に、晴天日に相当する基準値の割合が高い基準値パターンを生成することが可能になる。
【００６４】
上述した構成例では、１日分の基準値（基準値パターン）を生成し、１日分の基準値を年間を通して使用することを想定している。情報取得部１１が太陽電池２１から取得した電力値は、季節に応じて比較的大きく変動するが、上述したように、日中の所定時間（たとえば、１０時から１３時）であれば、絶対値は変化しても、平均変化率はほぼ一致する。そのため、上述した構成例では、年間を通して１日分の基準値を使用する構成を採用している。しかしながら、絶対値には変化が生じるから、１年間を複数の期間に区分し、区分した期間ごとに基準値を設定してもよい。この場合でも、少数の基準値（基準値パターン）を記憶部１２３の第３領域１２３３に格納するだけで、年間を通して太陽電池２１の異常の有無を判断することが可能である。
【００６５】
上述した異常監視装置１０は、プログラムを実行するプロセッサを備えるデバイスと、外部装置を接続するためのインターフェイス用のデバイスとを主なハードウェア要素として備える。プロセッサを備えるデバイスは、メモリを別に接続するマイクロプロセッサのほか、メモリを一体に備えるマイコン（Microcontroller）などから選択される。
【００６６】
プログラムは、あらかじめＲＯＭ（Read Only Memory）に書き込まれた状態で提供されるようにしてもよいが、書換可能な不揮発性メモリに格納できるように、コンピュータで読み取り可能な記録媒体を用いて提供されることが望ましい。また、プログラムは、記録媒体に代えて、インターネットのような電気通信回線を通して提供されてもよい。
【００６７】
以上説明した異常監視装置１０は、情報取得部１１と監視部１２とを備える。情報取得部１１は、日射強度に応じた電気出力を装置から取得する。監視部１２は、情報取得部１１が１日の時刻ごとに取得した電気出力の値と１日の時刻ごとに定めた基準値とを比較することにより装置の異常の有無を監視する。装置は、太陽電池２１と日射計２５との少なくとも一方を含む。さらに、監視部１２は、計算部１２１とフィルタ部１２２と記憶部１２３とを備える。計算部１２１は、電気出力を用いて所定の抽出時間ごとの平均変化率を算出する。フィルタ部１２２は、晴天日に相当する１日分の平均変化率を標準変化率とし、情報取得部１１が取得した電気出力のうち同時刻の標準変化率との差が所定の許容範囲内である平均変化率が得られた日時における電気出力の値を抽出する。記憶部１２３は、フィルタ部１２２が抽出した日時における電気出力の値を、該当する時刻についての基準値として記憶する。
【００６８】
この構成によれば、装置の電気出力の実測値に基づいて、晴天日に相当する基準値を精度よく生成することが可能になる。このようにして設定した基準値は、長期間にわたって使用することが可能である。
【００６９】
この異常監視装置１０において、情報取得部１１は、所定のサンプリング周期で電気出力を取得することが望ましい。この場合、抽出時間は、サンプリング周期の整数倍であって、サンプリング周期での電気出力の変動成分が抑圧され、かつ電気出力の変化傾向の抽出が可能になるように定められる。また、記憶部１２３は、基準値をサンプリング周期ごとの時刻に割り当てて記憶する。
【００７０】
この構成によれば、抽出時間が適正に設定されることによって、平均変化率は、電気出力の短時間での変動成分の影響を除去するように求められる。すなわち、上述した出力パターンから不要な変動成分を除去した基準値のデータを記憶部１２３に記憶させることが可能になる。
【００７１】
記憶部１２３は、複数日分の電気出力からフィルタ部１２２が抽出した電気出力を１日における時刻に割り当てて記憶していることが望ましい。
【００７２】
この構成によれば、１日分の電気出力では晴天日に相当する電気出力の個数が十分に得られない場合でも、複数日分の電気出力を重ね合わせることによって、晴天日に相当する電気出力の個数を増やすことが可能になる。
【００７３】
ここに、監視部１２は、異なる日の同時刻についてフィルタ部１２２が複数の電気出力を抽出した場合に、同時刻について抽出された複数の電気出力のうちの最大値を基準値として記憶部１２３に記憶させる選択部１２４を備えることが望ましい。
【００７４】
この構成によれば、複数日分の電気出力を用いて適正な基準値を抽出することが可能になる。
【００７５】
フィルタ部１２２は、すでに抽出した平均変化率を標準変化率と再度比較し、すでに抽出した平均変化率のうち標準変化率との差が所定の許容範囲内である変化率を抽出する反復処理を１回以上繰り返すように構成されていることが望ましい。
【００７６】
この構成によれば、フィルタ部１２２が抽出した電気出力に誤差成分が含まれている場合であっても、反復処理を行うことによって、誤差成分の割合が低減し、晴天日に相当する電気出力の割合を相対的に高めることが可能になる。
【００７７】
フィルタ部１２２は、反復処理を１回行うたびに許容範囲を狭めることが望ましい。
【００７８】
この構成によれば、反復処理を繰り返すたびに、電気出力を抽出する基準を厳しくすることにより、誤差成分をより低減させることが可能になる。
【００７９】
標準変化率は、複数日を含むように設定された区分期間ごとに設定されていることが望ましい。
【００８０】
この構成によれば、太陽高度の違いを基準値に反映させることが可能になり、適切な基準値を用いることによって、装置に異常があるか否かの判定条件をより厳しく設定して、判定精度を高めることが可能になる。
【００８１】
本実施形態における太陽光発電設備２０は、太陽電池２１と、太陽電池２１に隣接して配置された日射計２５と、上述した異常監視装置１０とを備える。
【００８２】
この構成によれば、太陽光発電設備２０において、太陽電池２１と日射計２５との少なくとも一方について異常が生じているか否かを監視することが可能になる。
【００８３】
本実施形態のプログラムは、コンピュータを、異常監視装置１０として機能させるためのものである。
【００８４】
上述した構成例では、太陽電池２１に異常が生じているか否かを判断するための基準値を生成しているが、日射計２５に異常が生じているか否かを判断するための基準値を生成するために、上述した技術を採用することが可能である。つまり、上述した技術では、太陽電池２１を日射計２５と読み替えることが可能である。また、異常監視装置１０は、太陽電池２１と日射計２５との両方について、異常が生じているか否かを監視するように構成してもよい。
【００８５】
また、上述した構成例では、太陽電池２１の異常は、ストリング２１１を単位として監視しているが、アレイを単位として異常を監視することも可能である。
【００８６】
上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【００８７】
たとえば、図１に示す太陽光発電設備２０は、電力変換装置２４を含んでいるが、太陽電池２１の電力を用いて直流を給電する場合、あるいは太陽電池２１が出力する電流により蓄電池を充電する場合などでは、電力変換装置２４は省略可能である。
【符号の説明】
【００８８】
１０  異常監視装置
１１  情報取得部
１２  監視部
２０  太陽光発電設備
２１  太陽電池
２５  日射計
１２１  計算部
１２２  フィルタ部
１２３  記憶部
【図１】
2016208606.tif 000003
【図２】
2016208606.tif 000004
【図３】
2016208606.tif 000005
【図４】
2016208606.tif 000006
【図５】
2016208606.tif 000007
【図６】
2016208606.tif 000008
【図７】
2016208606.tif 000009